(57)【要約】      （修正有）【課題】従来の掛け軸収納は巻きあげるのが広く一般的で、本紙や表具の裂地に強い巻き癖、しわ、摩擦による傷みを招く事が多々ある。【解決手段】仰向けにした本紙８側の上に両端が半円形状２を持つ略コの字形状の枠体３を被せる。枠体は本紙を囲むように配置し掛け軸を固定する。枠の高さは本紙と枠体の間に空間を生じ、本紙はどこにも接触せず何より巻かないので損傷防ぐことができる。【選択図】図１
2012020086.tif 000002
【特許請求の範囲】
【請求項１】
掛け軸を巻かないで収納、保管するために用いる、使用する掛け軸の長さ以上の周長を有し、かつ該掛け軸の横幅以上の横幅を有する略コの字形状の枠体を特徴とする掛け軸の収納保管台。
【請求項２】
前期略コの字形状の枠体の略中央部分に掛け軸の軸先の横幅方向の移動を規制する一対の横幅方向移動規制手段と、周長方向の移動を規制する少なくとも１つの周長方向移動規制手段とを備えたことを特徴とする請求項１記載の掛け軸収納保管台。
【請求項３】
前記略コの字形状の枠体の両側面を半円の形状に形成することを特徴とする請求項１または請求項２記載の掛け軸収納保管台。
【請求項４】
前記略コの字形状の枠体を掛け軸の本紙外側に配置、固定するため、本紙と枠体との間に空間が生じ、本紙が枠体その他どこにも触れずに損傷の恐れが無いことを特徴とする請求項１、請求項２または請求項３記載の掛け軸収納保管台。
【発明の詳細な説明】
【技術分野】
【０００１】  本発明は、巻かずに収納、保管ができる掛け軸の収納保管台に関する。
【背景技術】
【０００２】  従来の掛け軸収納、保管には、巻く方法が広く一般的に使用されている。この方法だと掛け軸の本紙（作品部分）はもとより、表具の裂地（きれ）部分（作品を囲む布部分）に巻き皺が強く残り、収納だけで無く、保存の面からも作品を傷め激しく損なうものである。（例えば特許文献１参照）。
【先行技術文献】
【０００３】
【特許文献１】特開２０００−１３９６４８号  公報
【発明が解決しようとする課題】
【０００４】  従来の掛け軸収納方法は、掛け軸を巻きあげて収納、保存をするのが広く一般的となっている。そのために次のような問題点があった。
【０００５】  掛け軸を巻き上げることによって、本紙はもとより、裂地部分にも強い巻き癖、しわが付くのを免れない。
【０００６】  この形状で長く収納、保管をするため、付いた巻き癖、しわ等が修復不可能である状況の掛け軸が多々あるのも現状である。
【０００７】  また巻いたり、広げたりと収納、保管の度に本紙、裂地の箇所が擦れて、切れたり、傷めたり、損傷を招くこともある。
【０００８】  本発明は、これらの問題点を解決するためになされたものであり、巻かずに収納、保管ができる掛け軸収納保管台を提供することを目的とする。
【課題を解決するための手段】
【０００９】  そして、本発明による掛け軸収納保管台は、使用する掛け軸の長さ以上の周長を有し、かつ該掛け軸の横幅以上の横幅を有する略コの字形状の枠体と、略コの字形状の枠体の略中央部分に掛け軸の軸先の横幅方向の移動を規制する一対の横幅方向移動規制手段と周長方向の移動を規制する、少なくとも１つの周長方向移動規制手段とを備えたものである。
これは、「掛け軸＝巻くもの」という伝統的な考えを全く新たな発想で、「巻く」という概念を捨てたところから掛け軸の収納、保管を考えたものである。
また、巻くということで得た掛け軸の収納縮小化と持ち運びの利便性という点を捨ててもなお、掛け軸自体の保護を優先したものである。
【００１０】  両端が半円の形状を持った台を使用することで、掛け軸をその半円に沿わせて、台の上板に曲げあげてしまう。これにより長さはもとの最大で２分の１に縮小できる。さらに上板にて掛け軸は収納保管台に固定されるので、持ち運びが可能となる。
【発明の効果】
【００１１】  したがって、本発明による掛け軸収納保管台は、裂地を唯一織り込む箇所は、緩やかな半円部分を使用するので、巻き癖、しわは一切付く恐れがない。
【００１２】  また、台上部で掛け軸の軸先（掛け軸下端にある軸棒の両端に取り付ける円柱形状のもの）部分と巻緒（掛け軸を巻き納める際に留める紐）部分を留めているので、掛け軸の縦揺れ、横揺れを防ぎ、表具部分の傷みを防ぐ。
【００１３】  そして、本紙は台裏面の四方に設けた枠により固定され、また枠の高さがあるので本紙と台との間に空間ができ、本紙は台やその他のどことも直接触れることは無く、何より巻かないのでしわ、傷が付く恐れが無い。
したがって、こちらを外箱に入れて縦置き、横置きと自由な収納、保管が可能となる。
【００１４】  現状少数生産のため素材は木材、角材を用いているが、大量生産となればプラスチック、アルミ等、他の素材も可能であり軽量化を図れる。
この同じ方法を用いることにより、台のサイズ、各部のサイズを変更することで、いかなるサイズの掛け軸にも対応できる。
【００１５】  上述したように、本発明の掛け軸収納保管台は、従来のものでは避けることの出来なかった掛け軸の巻き癖、しわ、本紙の損傷等を防ぎ、本来の掛け軸の姿を保存できるものである。
【図面の簡単な説明】
【００１６】
【図１】本発明の実施形態を示す掛け軸収納保管台の斜視図
【図２】同掛け軸収納保管台の平面図
【図３】同掛け軸収納保管台の正面図
【図４】同掛け軸収納保管台の側面図
【図５】同掛け軸収納保管台の軸先固定部の部分拡大図
【図６】同掛け軸収納保管台のヒートン部の部分拡大図
【図７】同掛け軸収納保管台の裏面図
【図８】同掛け軸収納保管台の正面断面図
【図９】同掛け軸収納保管台の側面断面図
【発明を実施するための形態】
【００１７】  以下、本発明の実施の形態を図１〜図８に基づいて説明する
【００１８】  図１において、掛け軸８表面、本紙のある方を仰向けにして、その上に掛け軸収納保管台上板１の裏面にある枠組み３を本紙の外側四方に合わせて被せる。
このようにして略コの字形状の枠体を構成する。この略コの字形状の枠体は、使用する掛け軸８の長さ以上の周長を有し、かつ、この使用する掛け軸８の横幅以上の横幅を有するものである。
【００１９】  図１、図４に示すように、掛け軸収納保管台上板１の側面の半円柱部分２に、掛け軸８の天・地部分（本紙の上下に位置する裂地部分）を添わせることにより、本紙はそのまま平らに、そして天・地も巻かずに収納することが可能、裂地部分の巻き癖やしわ、傷み等を防ぐ。
【００２０】  また、図２および図５も参照しながら説明する。軸先留め金具４により、掛け軸８の地（本紙下の裂地）部分下、軸棒に付随した軸先を固定、これにより揺れによる軸先部分の傷みを防ぐ。
【００２１】  留め金具（左右一対）４ａをアルミ等、厚さ１ｍｍ曲げ加工の上皿ビス留にすることで、軸先の横揺れを防ぎ、左右に動かないよう固定する。
【００２２】  留め金具（左右一対）４ｂにマジックテープ等、パネル貫通裏ビス留を用いることで、軸先の縦揺れを防ぎ、上下に動かないよう固定する。このようにして掛け軸の軸先を横幅方向に規制する一対の横幅方向規制手段を設けることにより、掛け軸収納保管台上板１に対して掛け軸８の横方向の移動（ずれ）を規制することができる。
【００２３】  また、図２および図６に示すように、巻緒の留め金具５にステンレスヒートン等を用いることで、掛け軸８の天（本紙上の裂地）部分上部の掛緒（掛け軸を吊るすための紐）に付いた巻緒を左右に通して結び固定する。
このように、使用する掛け軸８の周長方向の移動を規制する周長方向移動規制手段を設けることによって掛け軸収納保管台上板１に対して使用する、掛け軸８の周長（長さ）方向の移動（ずれ）を規制することができる。
この２つの規制手段によって、掛け軸８は上下・左右に動くこと無く、掛け軸収納保管台に固定される。
【００２４】  さらに、図７に示すように掛け軸収納保管台裏面中央に補強裏板（充て木）７を付け、掛け軸収納保管台上板１表面にある巻緒の留め金具５を受け止め固定、同じく台１表面の軸先留め金具４をビスで留め、マジックテープ等を掛け軸収納保管台上板１と補強裏板７に貫通させて固定する。この補強裏板７は枠組み３より高さが低いので本紙に触れることは無く、傷める恐れも無い。
【００２５】  補強裏板７の設置場所は、各掛け軸８により本紙の配置が各々異なるため、各々の配置により移動となる。併せて留め金具４・５も各々の掛け軸８にあわせて固定場所を決める。
【００２６】  掛け軸収納保管台裏面内部、四方に設けた枠組み３は、本紙部分を囲む外側の裂地を押さえるため、本紙部分と掛け軸収納保管台上板１の間に空間が図９に示すようにできる。そのため本紙部分が掛け軸収納保管台のどこにも接触しなく、周りを囲まれたかたちで完全なる保存状態となり、本紙を傷めることはない。
【００２７】  寸法に関して、この掛け軸収納保管台のサイズは平均的一般掛け軸８サイズに対応、その他のサイズ作品には、掛け軸収納保管台各部のサイズだけを変更するだけで、いかなるサイズの掛け軸８にも対応できる。
【産業上の利用可能性】
【００２８】  このように本発明による掛け軸の収納保管台は、美術品、文化財、タペストリー等を手掛ける古美術、重要文化財、美術館等での、重要な掛け軸作品の保管方法にも適している。
【符号の説明】
【００２９】１  掛け軸収納保管台の上板
２  掛け軸収納保管台側面の半円柱
３  掛け軸収納保管台裏面の四方枠組み
４  軸先留具
５  巻緒留具
６  ４の軸先留め具を受け止める掛け軸収納保管台裏側のビス留め
７  ４と５の留め具を受け止める当て木、並びに掛け軸収納保管台の上板補強
８  掛け軸
【図１】
2012020086.tif 000003
【図２】
2012020086.tif 000004
【図３】
2012020086.tif 000005
【図４】
2012020086.tif 000006
【図５】
2012020086.tif 000007
【図６】
2012020086.tif 000008
【図７】
2012020086.tif 000009
【図８】
2012020086.tif 000010
【図９】
2012020086.tif 000011